(57)【要約】【課題】ボルト・ナットの個数や締め付け工数を増やさずに、簡単に十分な力で編組をシールドシェルに締め付け固定することのできる編組の固定具を提供する。【解決手段】シールドシェルの筒状部の外周に被せた編組の端部をシールドシェルに締め付け固定する編組の固定具１０であって、シールドシェルの筒状部の外周を編組の上から包囲し得るバンド形状に形成され且つ半割された一対の固定ピース１１，１２を有し、該一対の固定ピースの各一端に互いに着脱可能に係合するオス片１３とメス片１４が設けられると共に、一対の固定ピースの各他端に互いにネジ（ボルト１７・ナット１８）による締結が可能なフランジ１５，１６が設けられている。【選択図】図１
2013110079.tif 000002
【特許請求の範囲】
【請求項１】
シールドシェルの筒状部の外周に被せた編組の端部をシールドシェルに締め付け固定する編組の固定具であって、
前記シールドシェルの筒状部の外周を前記編組の上から包囲し得るバンド形状に形成され且つ半割された一対の固定ピースを有し、該一対の固定ピースの各一端に互いに着脱可能に係合するオス片とメス片が設けられると共に、前記一対の固定ピースの各他端に互いにネジによる締結が可能なフランジが設けられていることを特徴とする編組の固定具。
【請求項２】
隣接する複数のシールドシェルの筒状部の外周にそれぞれ被せた複数の編組の端部を同時に各シールドシェルに締め付け固定する編組の固定具であって、
前記複数のシールドシェルの筒状部の外周を前記編組の上からそれぞれ包囲し得るバンド形状に形成され且つ半割された一対の固定ピースを有し、該一対の固定ピースの両端に互いに着脱可能に係合するオス片とメス片が設けられると共に、前記複数のシールドシェルの筒状部の間に位置する前記一対の固定ピースの中間部に互いにネジによる締結が可能なフランジが設けられていることを特徴とする編組の固定具。
【発明の詳細な説明】
【技術分野】
【０００１】
本発明は、シールドシェルの筒状部に被せた編組の端部をシールドシェルに締め付け固定するための編組の固定具に関するものである。
【背景技術】
【０００２】
特許文献１に従来の編組の固定具を用いた編組の固定構造が記載されており、図５はその固定構造を示している。
【０００３】
この図５において、符号３０１で示すものはシールドコネクタであり、図示略の端子と、端子を収容する樹脂製のコネクタハウジング３０２と、コネクタハウジング３０２の外側を覆う金属製のシールドシェル３０３とからなる。このシールドコネクタ３０１のシールドシェル３０３に編組３０６の端部３０６ａを接続するに当たり、金属製のバンド形状の固定具３１０を使用している。
【０００４】
この固定具３１０は、シールドシェル３０３の筒状部３０４の外周に被せた編組３０６の端部３０６ａを包囲し得る環状バンド３１１を有し、その周方向１箇所に設けた切り離し部の両端に、ネジによる締結が可能なフランジ３１５、３１６を設けたものである。
【０００５】
この固定具３１０を用いる際には、まず、シールドシェル３０３の筒状部３０４の外周に編組３０６の端部３０６ａを被せる。次に、その上から固定具３１０の環状バンド３１１を、切り離し部の両端のフランジ３１５、３１６間を若干開きながら被せて、編組３０６の端部３０６ａを、環状バンド３１１とシールドシェル３０３の筒状部３０４との間に挟み込んだ状態にし、その状態で、ボルト３１７の先端を両フランジ３１５、３１６の貫通孔３１５ａ、３１６ａに通して、ボルト３１７の先端にナット３１８を螺合することにより、編組３０６の端部３０６ａを固定具３１０によりシールドシェル３０３の筒状部３０４の外周に締め付け固定している。
【先行技術文献】
【特許文献】
【０００６】
【特許文献１】特開２００５−３３９９３３号公報
【発明の概要】
【発明が解決しようとする課題】
【０００７】
ところで、この固定具３１０は、フランジ３１５、３１６間を若干開くようにして、環状バンド３１１を変形させながら、シールドシェル３０３の筒状部３０４に組み付ける必要があるので、環状バンド３１１の変形によって編組３０６に対する締め付けが不十分になる可能性があった。
【０００８】
本発明は、上述した事情に鑑みてなされたものであり、その目的は、ボルト・ナットの個数や締め付け工数を増やさずに、簡単に十分な力で編組をシールドシェルに締め付け固定することのできる編組の固定具を提供することにある。
【課題を解決するための手段】
【０００９】
本発明の上記目的は、下記の構成により達成される。
（１）  シールドシェルの筒状部の外周に被せた編組の端部をシールドシェルに締め付け固定する編組の固定具であって、
前記シールドシェルの筒状部の外周を前記編組の上から包囲し得るバンド形状に形成され且つ半割された一対の固定ピースを有し、該一対の固定ピースの各一端に互いに着脱可能に係合するオス片とメス片が設けられると共に、前記一対の固定ピースの各他端に互いにネジによる締結が可能なフランジが設けられていることを特徴とする編組の固定具。
【００１０】
（２）  隣接する複数のシールドシェルの筒状部の外周にそれぞれ被せた複数の編組の端部を同時に各シールドシェルに締め付け固定する編組の固定具であって、
前記複数のシールドシェルの筒状部の外周を前記編組の上からそれぞれ包囲し得るバンド形状に形成され且つ半割された一対の固定ピースを有し、該一対の固定ピースの両端に互いに着脱可能に係合するオス片とメス片が設けられると共に、前記複数のシールドシェルの筒状部の間に位置する前記一対の固定ピースの中間部に互いにネジによる締結が可能なフランジが設けられていることを特徴とする編組の固定具。
【００１１】
上記（１）の構成の編組の固定具によれば、半割された一対の固定ピースを、一端側のオス片とメス片を係合させながら互いに合わせることで、両方の固定ピースを全く変形させることなく、編組の端部を固定ピースとシールドシェルとの間に挟み込むことができる。そしてその状態で、一対の固定ピースの他端側のフランジを合わせて、フランジ同士をネジで締結することにより、編組の端部をシールドシェルの筒状部に締め付け固定することができる。
【００１２】
その際、一対の固定ピースは半割されていることから、組み付けに際して何も変形させる必要がないので、固定ピースの変形によって締め付け力が損なわれることがなく、十分な力で編組を締め付けることができる。また、ネジ止めするのは１箇所ですむので、ボルト・ナットの数を増やさず、締め付け工数も増やさずに、簡単に、編組をシールドシェルに十分な締め付け力をもって接続することができる。
【００１３】
上記（２）の構成の固定具によれば、半割された一対の固定ピースを、両端のオス片とメス片を係合させながら互いに合わせることで、両方の固定ピースを全く変形させることなく、各編組の端部を固定ピースと各シールドシェルとの間に挟み込むことができる。そしてその状態で、一対の固定ピースの中間部のフランジを合わせて、フランジ同士をネジで締結することにより、同時の複数の編組の端部を各シールドシェルの筒状部にそれぞれ締め付け固定することができる。
【００１４】
その際、一対の固定ピースは半割されていることから、組み付けに際して何も変形させる必要がないので、固定ピースの変形によって締め付け力が損なわれることがなく、十分な力で編組を締め付けることができる。また、ネジ止めするのは１箇所ですむので、ボルト・ナットの数を増やさず、締め付け工数も増やさずに、各編組をそれぞれのシールドシェルに十分な締め付け力をもって同時に簡単に接続することができる。
【発明の効果】
【００１５】
本発明によれば、ボルト・ナットの個数や締め付け工数を増やさずに、簡単に十分な力で編組をシールドシェルに締め付け固定することができる。
【図面の簡単な説明】
【００１６】
【図１】本発明の第１実施形態の固定具の構成を示す図で、図１（ａ）は固定具を構成する一対の固定ピースを示す斜視図、図１（ｂ）は一対の固定ピースの一端側のオス片とメス片を係合させた状態を示す斜視図、図１（ｃ）は一対の固定ピースの他端側のフランジを合わせてネジ止めした状態を示す斜視図である。
【図２】同第１実施形態の固定具を用いて編組の端部をシールドコネクタのシールドシェルの筒状部に固定する場合の分解斜視図である。
【図３】本発明の第２実施形態の２連式の固定具の構成を示す図で、図３（ａ）は固定具を構成する一対の固定ピースを示す斜視図、図３（ｂ）は一対の固定ピースの両端のオス片とメス片を係合させた状態を示す斜視図、図３（ｃ）は一対の固定ピースの中間部のフランジを合わせてネジ止めした状態を示す斜視図である。
【図４】同第２実施形態の固定具を用いて２つの編組の端部をシールドコネクタのシールドシェルの２つの筒状部に同時に固定した場合の構成を示す図で、図４（ａ）は斜視図、図４（ｂ）は（ａ）のＩＶｂ矢視図である。
【図５】従来の固定具を用いて編組の端部をシールドコネクタのシールドシェルの筒状部に固定する場合の分解斜視図である。
【発明を実施するための形態】
【００１７】
以下、本発明の実施形態を図面を参照して説明する。
図１は第１実施形態の編組の固定具の構成を示す図で、（ａ）は固定具を構成する一対の固定ピースを示す斜視図、（ｂ）は一対の固定ピースの一端側のオス片とメス片を係合させた状態を示す斜視図、（ｃ）は一対の固定ピースの他端側のフランジを合わせてネジ止めした状態を示す斜視図、図２は同第１実施形態の固定具を用いて編組の端部をシールドコネクタのシールドシェルの筒状部に固定する場合の分解斜視図である。
【００１８】
図１（ａ）〜図１（ｃ）に示す第１実施形態の固定具１０は、図２（ａ）、図２（ｂ）に示すようなシールドコネクタ１のシールドシェル３の筒状部４に被せた金属製筒状の編組６の端部６ａをシールドシェル３の筒状部４に締め付け固定するためのものである。シールドコネクタ１は、図示略の端子を収容する樹脂製のコネクタハウジング２の外側を金属製のシールドシェル３で覆ったもので、シールドシェル３には、編組６の端部６ａを被せて導通接続することのできる筒状部４が設けられている。
【００１９】
一方、固定具１０は、シールドシェル３の筒状部４の外周を編組６の端部６ａの上から包囲し得るバンド形状に形成され且つ半割された一対の固定ピース１１，１２よりなる。一対の半割バンド状の固定ピース１１，１２の各一端には、互いに着脱可能に係合するオス片１３とメス片１４が設けられている。即ち、オス片１３には、フック状の舌片１３ａが形成され、メス片１４には、オス片１３の舌片１３ａが係合し得る係合孔１４ａが形成されており、舌片１３ａを係合孔１４ａに引っ掛けることにより、２つの固定ピース１１，１２の一端側を互いに離れないように結合することができ、その状態で、オス片１３とメス片１４の結合部分をヒンジとして、２つの固定ピース１１，１２を開閉させることができるようになっている。
【００２０】
また、一対の固定ピース１１，１２の各他端には、互いに合わせた状態でネジ（ボルト１７とナット１８）による締結が可能なフランジ１５，１６が設けられている。フランジ１５，１６には、ボルト１７の先端を通すための貫通孔１５ａ、１６ａが形成されている。
【００２１】
この固定具１０を用いて編組６をシールドシェル３に固定する場合は、まず、シールドシェル３の筒状部４の外周に編組６の端部６ａを例えば二重折りして被せる。次にその上から固定具１０の固定ピース１１，１２を、一端側のオス片１３とメス片１４を係合させながら互いに合わせて、編組６の端部６ａを固定ピース１１，１２とシールドシェル３の筒状部４との間に挟み込む。
【００２２】
次に、その状態で、一対の固定ピース１１，１２の他端側のフランジ１５，１６を合わせて、ボルト１７の先端を両フランジ１５，１６の貫通孔１５ａ、１６ａに通し、ボルト１７の先端にナット１８を螺合することにより、フランジ１５，１６同士を締結する。そうすることにより、編組６の端部６ａをシールドシェル３の筒状部４の外周に締め付け固定することができる。
【００２３】
以上の構成の編組の固定具１０によれば、一対の固定ピース１１，１２が半割品として構成されている関係で、両固定ピース１１，１２を何も変形させずにシールドシェル３の筒状部４に組み付けることができるので、固定ピース１１，１２の変形によって締め付け力が損なわれることがなく、十分な力で編組６の端部６ａをシールドシェル３の筒状部４に締め付け固定することができる。また、固定ピース１１，１２をネジ止めするのは１箇所ですむので、ボルト１７・ナット１８の数を増やさず、締め付け工数も増やさずに、簡単に、編組６をシールドシェル３に十分な締め付け力をもって接続することができる。
【００２４】
因みに、オス片１３とメス片１４をそれぞれ設けた一対の固定ピース１１，１２の一端側に、オス片１３とメス片１４の代わりに、他端側と同様のフランジを設け、固定ピース１１，１２の両端のフランジをネジで締結することにより編組６の端部６ａを締め付け固定する構成も考えられるが、そうすると、ボルト１７・ナット１８の個数が増える上、ボルト１７・ナット１８の締め付け工数も増える。その点、本実施形態の固定具１０は、ボルト１７とナット１８で締結するのを片側１箇所としているので、ボルト１７・ナット１８の個数を増やさず、締結工数も増やさずにすむ。
【００２５】
次に第２実施形態の編組の固定具を説明する。
図３は第２実施形態の２連式の固定具の構成を示す図で、図３（ａ）は固定具を構成する一対の固定ピースを示す斜視図、図３（ｂ）は一対の固定ピースの両端のオス片とメス片を係合させた状態を示す斜視図、図３（ｃ）は一対の固定ピースの中間部のフランジを合わせてネジ止めした状態を示す斜視図である。また、図４は本実施形態の固定具を用いて２つの編組の端部をシールドコネクタのシールドシェルの２つの筒状部に同時に固定した場合の構成を示す図で、図４（ａ）は斜視図、図４（ｂ）は図４（ａ）のＩＶｂ矢視図である。
【００２６】
図３（ａ）〜図３（ｃ）に示す第２実施形態の固定具２０は、図４（ａ）、図４（ｂ）に示すようなシールド接続ユニット１００における下側のシールドコネクタ１０１の、シールドシェル１０３の２つの筒状部１０４にそれぞれ被せた金属製筒状の２つ編組１０６の端部１０６ａを、シールドシェル１０３の各筒状部１０４に同時に締め付け固定するためのものである。
【００２７】
図４に示すように、シールド接続ユニット１００は、下側の１つのシールドコネクタ１０１と、上側の２つのシールドコネクタ１１０、１２０と、下側のシールドコネクタ１０１と上側のシールドコネクタ１１０、１２０を繋ぐ可撓性を持った２系統の電線部１０５と、これら２系統の電線部１０５をそれぞれ包囲してシールドする２つの編組１０６と、を備えている。
【００２８】
シールドコネクタ１０１、１１０、１２０は、端子を収容する樹脂製のコネクタハウジング（いずれも図示せず）の外側を金属製のシールドシェル１０３、１１３、１２３で覆ったものである。下側のシールドコネクタ１０１には、各系統の電線部１０５をそれぞれ接続するための２つの電線接続部が同じ方向を向いて互いに隣接して設けられており、それら電線接続部にそれぞれ、各系統の編組１０６の端部１０６ａを接続するためのシールドシェル１０３の筒状部１０４が隣接して設けられている。そして、各筒状部１０４に被せた編組１０６の端部を締め付けるために、本実施形態の固定具２０が用いられている。
【００２９】
この固定具２０は、図３に示すように、シールドシェル１０３の２つの筒状部１０４の外周を各編組１０６の端部１０６ａの上から包囲し得るバンド形状に形成され且つ半割された一対の固定ピース２１，２２よりなる。一対の半割バンド状の固定ピース２１，２２の両端には、互いに着脱可能に係合するオス片２３とメス片２４が設けられている。即ち、オス片２３には、フック状の舌片２３ａが形成され、メス片２４には、オス片２３の舌片２３ａが係合し得る係合孔２４ａが形成されており、舌片２３ａを係合孔２４ａに引っ掛けることにより、２つの固定ピース２１，２２の両端を互いに離れないように結合することができるようになっている。
【００３０】
また、固定具２０を組み付けた際にシールドシェル１０３の２つの筒状部１０４の間に位置する一対の固定ピース２１，２２の中間部には、互いに合わせた状態でネジ（ボルト１７とナット１８）による締結が可能なフランジ２５，２６が設けられている。フランジ２５，２６には、ボルト２７の先端を通すための貫通孔２５ａ、２６ａが形成されている。
【００３１】
この固定具２０を用いて２つの編組１０６をシールドシェル１０３の２つの筒状部１０４に同時に固定する場合は、まず、シールドシェル１０３の筒状部１０４の外周に各編組１０６の端部１０６ａを例えば二重折りして被せる。次にその上から固定具２０の固定ピース２１，２２を、両端のオス片２３とメス片２４を係合させながら互いに合わせて、編組１０６の端部１０６ａを固定ピース２１，２２とシールドシェル１０３の筒状部１０４との間に挟み込む。
【００３２】
次に、その状態で、一対の固定ピース２１，２２の中間部に設けたフランジ２５，２６を合わせて、ボルト１７の先端を両フランジ２５，２６の貫通孔２５ａ、２６ａに通し、ボルト１７の先端にナット１８を螺合することにより、フランジ２５、１２同士を締結する。そうすることにより、２つの編組１０６の端部１０６ａをシールドシェル１０３の２つの筒状部４の外周に同時に締め付け固定することができる。
【００３３】
以上の構成の編組の固定具２０によれば、一対の固定ピース２１，２２が半割品として構成されている関係で、両固定ピース２１，２２を何も変形させずにシールドシェル１０３の筒状部１０４に同時に組み付けることができるので、固定ピース２１，２２の変形によって締め付け力が損なわれることがなく、十分な力で編組１０６の端部１０６ａをシールドシェル１０３の各筒状部１０４に締め付け固定することができる。また、固定ピース２１，２２をネジ止めするのは１箇所ですむので、ボルト１７・ナット１８の数を増やさず、締め付け工数も増やさずに、簡単に、編組１０６をシールドシェル１０３に十分な締め付け力をもって接続することができる。
【００３４】
因みに、オス片２３とメス片２４をそれぞれ設けた一対の固定ピース２１，２２の両端にも、オス片２３とメス片２４の代わりに、中間部と同様のフランジを設け、固定ピース２１、２２の３箇所のフランジをネジで締結することにより編組１０６の端部１０６ａを締め付け固定する構成も考えられるが、そうすると、ボルト１７・ナット１８の個数が増える上、ボルト１７・ナット１８の締め付け工数も増える。その点、本実施形態の固定具２０は、ボルト１７とナット１８で締結するのを中央の１箇所としているので、ボルト１７・ナット１８の個数を増やさず、締結工数も増やさずにすむ。
【００３５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３６】
例えば、上記第２実施形態では、シールドシェル１０３の２つの筒状部１０４に２つの編組１０６の端部１０６ａを同時に締め付け固定する場合を説明したが、シールドシェル１０３の３つ以上の筒状部１０４に３つ以上の編組１０６の端部１０６ａを同時に締め付け固定するように構成することもできる。その場合は、複数のシールドシェル１０３の筒状部１０４の各間に位置する一対の固定ピース２１，２２の中間部の複数箇所に、互いにネジによる締結が可能なフランジをそれぞれ設ければよい。
【符号の説明】
【００３７】
３  シールドシェル
４  筒状部
６  編組
６ａ  端部
１０  編組の固定具
１１，１２  固定ピース
１３  オス片
１４  メス片
１５，１６  フランジ
１７  ボルト（ネジ）
１８  ナット（ネジ）
１０３  シールドシェル
１０４  筒状部
１０６  編組
１０６ａ  端部
２０  編組の固定具
２１，２２  固定ピース
２３  オス片
２４  メス片
２５，２６  フランジ
【図１】
2013110079.tif 000003
【図２】
2013110079.tif 000004
【図３】
2013110079.tif 000005
【図４】
2013110079.tif 000006
【図５】
2013110079.tif 000007